(57)【要約】【課題】    棺桶を人の手で運搬する際の棺桶自体を軽量化でき、さらに手がかりを設けて出棺から火葬炉に至るまで安全、確実に棺桶を搬送することのできる棺桶の運搬装置を提供する。【解決手段】    棺桶の運搬装置は、棺桶の外壁に脱着自在に外嵌される外嵌枠体を含み、外嵌枠体を棺桶に外嵌させた状態で外嵌枠体を介して棺桶を持ち上げ可能とされる。さらに、棺桶を載置面上に載置させた状態で、棺桶から外嵌枠体を取り外すことができる。【選択図】図１
2006262927.tif 000002
【特許請求の範囲】
【請求項１】
棺桶の外壁に脱着自在に外嵌される外嵌枠体を含み、
外嵌枠体を棺桶に外嵌させた状態で外嵌枠体を介して棺桶を持ち上げ可能とされ、
さらに、棺桶を載置面上に載置させた状態で、棺桶から外嵌枠体を取り外すことができるように構成されていることを特徴とする棺桶の運搬装置。
【請求項２】
外嵌枠体は、人による運搬時の運搬用の手掛かり部を備えたことを特徴とする請求項１記載の棺桶の運搬装置。
【請求項３】
外嵌枠体は、棺桶の周壁と底壁とに沿って一体的に屈曲形成されたＬ字剛性部を含む請求項１または２記載の棺桶の運搬装置。
【請求項４】
外嵌枠体は、棺桶に対し脱着する際に相互に連結、離脱自在に連結される複数の外嵌部材を有し、
棺桶の外壁に装着時に外嵌部材を相互に連結させるとともに、
該外嵌部材の連結を解除して棺桶から取り外すことを特徴とする請求項１ないし３のいずれかに記載の棺桶の運搬装置。
【請求項５】
棺桶は、立体多角形形状で設けられ、
外嵌枠体は、該棺桶の側壁外面にあてがわれて配置され、
棺桶の隣接する側壁どうしに対応する複数の外嵌部材は、縦方向を軸とする枢支部材により枢支連結されて畳み込み可能に接続されていることを特徴とする請求項１ないし４のいずれかに記載の棺桶の運搬装置。
【請求項６】
２つの外嵌部材が、棺桶に装着されてその装着状態で持ち上げ時に離脱しないように相互の外嵌部材どうしを連結保持するロック機構が設けられていることを特徴とする請求項５記載の棺桶の運搬装置。
【請求項７】
外嵌部材は棺桶を外嵌可能に対向して２個設けられ、
それぞれの下端側から対向方向に延長して相互に接続される摺動部材であって、
外嵌部材どうしを相互に進退移動自在に案内し、かつ、それらを棺桶外壁に密着状に当接させた状態で連結保持し、さらにそれらの上面側に棺桶を載置支持する摺動部材を含む伸縮接続装置を有することを特徴とする請求項４または６に記載の棺桶の運搬装置。
【発明の詳細な説明】
【技術分野】
【０００１】
本発明は、人が棺桶を持ち上げて運搬する際に好適な棺桶の運搬装置に関する。
【背景技術】
【０００２】
従来、人の遺体を収容して、保管及び運搬するための棺桶は、例えば、天然木板材を直方体状の箱体に組み付けて設けられている。従来の棺桶は、運搬中などに棺桶を構成している板材が割れないように、ある程度厚みのある板材が使用されており、重量化していた。
【０００３】
一方、特許文献１には、木製の外棺の中に一回り小さなダンボール製の内棺を設けた二重棺が提案されており、遺体の保管、運搬時には二重棺とし、火葬の際には内棺を外棺から取り出して内棺だけを遺体とともに焼き、外棺を再利用するものが開示されている。
【特許文献１】登録実用新案公報第３０３０７５０号公報
【発明の開示】
【発明が解決しようとする課題】
【０００４】
従来の直方体状の棺桶を、例えば、家庭内や葬祭場等から霊柩車内へ、または霊柩車から火葬炉の台車上等に運ぶ際には、人の手で運搬されるが、棺の側板や底板が平板で形成されているので、手で運搬時に手で把持する部分がなく、つかみにくいとともに、遺体の入った棺桶は重量があるので大きな労力がかかり、かつ不安定で持ち運びしにくく、あやまって手をすべらしてしまう危険性があった。さらに、棺が平らな床面上に載置してある場合には、棺の底板と床面とが密着するので、手を入れる隙間がなく、棺桶を持上げるのが困難であった。また、棺を平らな床面に置く際にも、手を挟んで怪我してしまうおそれもあった。
【０００５】
また、特許文献１の二重棺では、上記の従来の棺桶同様の問題に加えて、内棺の分だけさらに重量化し、運搬しにくいものであった。また、内棺は、ダンボール製なので強度が弱く、内棺だけを取り出して台車等の上に載せ換える際などの運搬中に破けるおそれもあるので、結局は、内棺も木製とする必要があり棺の重量化がますます問題となる。さらに、火葬炉の手前で、いったん棺を置いた後、内棺だけを取り出して台車等の上に載せ換える必要があり、このときダンボール材の薄い壁部を掴んで垂直状に持ち上げるのが容易でなく、また、その際に、内棺が外棺内部に密着嵌合状に配置されているので、遺体の入った重い内棺を取り出すことが困難であり、手間と時間がかかるものであった。
【０００６】
本発明は上記従来の課題に鑑みてなされたものであり、その一つの目的は、棺桶を人の手で運搬する際の棺桶自体を軽量化でき、さらに手がかりを設けて出棺から火葬炉に至るまで安全、確実に棺桶を搬送することのできる棺桶の運搬装置を提供することである。また、本発明の他の目的は、軽量化と手がかりを設けた棺桶への脱着自在の装置構成により、装置を再利用して棺桶費用ひいては全体の葬儀費用を削減しうる棺桶の運搬装置を提供することである。
【課題を解決するための手段】
【０００７】
上記課題を解決するために本発明は、棺桶１００の外壁１２１〜１２５に脱着自在に外嵌される外嵌枠体１２を含み、外嵌枠体を棺桶に外嵌させた状態で外嵌枠体を介して棺桶を持ち上げ可能とされ、さらに、棺桶を載置面上に載置させた状態で、棺桶１００から外嵌枠体１２を取り外すことができるように構成されていることを特徴とする棺桶の運搬装置１０から構成される。外嵌枠体は、例えば、又は、板体、格子枠等のフレーム体、その他任意の構成でもよい。
【０００８】
また、外嵌枠体１２は、人による運搬時の運搬用の手掛かり部２６を備えたこととしてもよい。手掛かり部は、例えば、外嵌枠体に一体的に取り付けられた、棒状部材、環状の取っ手部材、索条体でもよい。また、外嵌枠体に取付け、取り外し可能に構成してもよい。また、外嵌枠体の一部を加工して手掛かり部を形成してもよい。
【０００９】
また、外嵌枠体１２は、棺桶１００の周壁１２１〜１２４と底壁１２５とに沿って一体的に屈曲形成されたＬ字剛性部２０を含むこととしてもよい。
【００１０】
また、外嵌枠体１２は、棺桶１００に対し脱着する際に相互に連結、離脱自在に連結される複数の外嵌部材１４，１５，５２，５３を有し、棺桶の外壁１２１〜１２５に装着時に外嵌部材を相互に連結させるとともに、該外嵌部材の連結を解除して棺桶１００から取り外すようにするとよい。
【００１１】
また、棺桶１００は、立体多角形形状で設けられ、外嵌枠体１２は、該棺桶の側壁外面にあてがわれて配置され、棺桶の隣接する側壁どうしに対応する複数の外嵌部材１４，１５，５２，５３は、縦方向を軸とする枢支部材１８により枢支連結されて畳み込み可能に接続されているとよい。
【００１２】
また、２つの外嵌部材（１４，１５），（５２，５３）が、棺桶１００に装着されてその装着状態で持ち上げ時に離脱しないように相互の外嵌部材どうしを連結保持するロック機構１６が設けられているとよい。
【００１３】
また、外嵌部材（５２，５３）は棺桶１００を外嵌可能に対向して２個設けられ、それぞれの下端側から対向方向に延長して相互に接続される摺動部材５６であって、外嵌部材どうしを相互に進退移動自在に案内し、かつ、それらを棺桶外壁に密着状に当接させた状態で連結保持し、さらにそれらの上面側に棺桶を載置支持する摺動部材５６を含む伸縮接続装置５４を有するようにしてもよい。
【発明の効果】
【００１４】
本発明の棺桶の運搬装置によれば、棺桶の外壁に脱着自在に外嵌される外嵌枠体を含み、外嵌枠体を棺桶に外嵌させた状態で外嵌枠体を介して棺桶を持ち上げ可能とされ、さらに、棺桶を載置面上に載置させた状態で、棺桶から外嵌枠体を取り外すことができるように構成されているから、持ちにくい通常の棺桶に簡単に装着させて、確実、安定的に人手による棺桶の持ち上げ、目的の運搬位置までの運搬を可能とし、棺桶を運搬しやすくできる。
【００１５】
また、外嵌枠体は、人による運搬時の運搬用の手掛かり部を備えた構成とすることにより、平らな床面等の上に棺桶を載置してある場合でも簡単に手で持ち上げることができる。また、棺桶運搬時も持ちやすく疲れにくいので、その持った状態を比較的に楽に保持できる。さらに、棺桶を載置する際でも、手を挟むことなく安全に静かに載置させることができる。
【００１６】
また、外嵌枠体は、棺桶の周壁と底壁とに沿って一体的に屈曲形成されたＬ字剛性部を含む構成とすることにより、棺桶を支持した状態で持ち上げ可能で、かつ棺桶を載置面上に載置させた状態で、棺桶から外嵌枠体を取り外すことができる構成を、簡単な構成で具体的に実現できる。
【００１７】
また、外嵌枠体は、棺桶に対し脱着する際に相互に連結、離脱自在に連結される複数の外嵌部材を有し、棺桶の外壁に装着時に外嵌部材を相互に連結させるとともに、該外嵌部材の連結を解除して棺桶から取り外す構成であるから、外嵌枠体の棺桶への外嵌状の着脱自在構成を実現でき、棺桶の運搬、必要に応じた静置、持ち上げ、下げ降ろし等の人手作業を円滑に行わせることができる。
【００１８】
また、棺桶は、立体多角形形状で設けられ、外嵌枠体は、該棺桶の側壁外面にあてがわれて配置され、棺桶の隣接する側壁どうしに対応する複数の外嵌部材は、縦方向を軸とする枢支部材により枢支連結されて畳み込み可能に接続された構成とすることにより、使用、不使用時に応じて展開、畳み込み自在とでき、装置自体の保管、搬送、使用時の棺桶への装着作業を円滑に行える。
【００１９】
また、２つの外嵌部材が、棺桶に装着されてその装着状態で持ち上げ時に離脱しないように相互の外嵌部材どうしを連結保持するロック機構が設けられた構成とすることにより、棺桶の持ち上げ時等に外嵌部材が自然に分離するようなことはなく、持ち上げ時の手からの脱落による怪我や事故を確実に防止し、さらには、参列者、親族等の不快感を生じさせることがない。
【００２０】
また、外嵌部材は棺桶を外嵌可能に対向して２個設けられ、それぞれの下端側から対向方向に延長して相互に接続される摺動部材であって、外嵌部材どうしを相互に進退移動自在に案内し、かつ、それらを棺桶外壁に密着状に当接させた状態で連結保持し、さらにそれらの上面側に棺桶を載置支持する摺動部材を含む伸縮接続装置を有する構成であるから、持ちにくい通常の棺桶に簡単に装着させて、確実、安定的に人手による棺桶の持ち上げ、目的の運搬位置までの運搬を可能とし、棺桶を運搬しやすくできる。
【発明を実施するための最良の形態】
【００２１】
以下添付図面を参照しつつ本発明の棺桶の運搬装置の実施形態について説明する。本発明の棺桶の運搬装置は、遺体を収容した棺桶あるいは空の棺桶に装着されて該棺桶を人手で持ち運ぶ際に好適な運搬装置である。図１ないし図７は、本発明の棺桶の運搬装置の第１の実施形態を示している。
【００２２】
本実施形態において、棺桶の運搬装置１０（以下、単に「運搬装置」という。）が装着される棺桶１００は、棺桶本体１２０と、蓋体１４０と、を有し、棺桶本体は略直方体状に形成された箱体から設けられている。本実施形態では、棺桶本体１２０は、横長矩形状の底壁１２５と、底壁１２５の４辺からそれぞれの辺の長さに対応して立設して両端同士を接合固定して組み付けた４枚の側壁１２１、１２２、１２３、１２４と、から形成されている。棺桶本体内部には遺体を収納する収納空間が形成されて側壁の上端部側に開口が形成されている。側壁は、対向する一対の矩形状の長辺側壁１２１、１２２と、対向する一対の矩形状の短辺側壁１２３、１２４とからなる。棺桶本体の上側の開口は蓋体１４０で閉鎖される。蓋体１４０には、覗き戸１４２が設けられている。本実施形態では、棺桶１００の棺桶本体及び蓋体は、例えば、木製の板材から構成されている。なお、棺桶は、内部に遺体を収納する収納空間を形成された立体多角形形状のもの、すなわち、多角形状の底壁と、該底壁の形状をそのまま高さ方向に立体させるように底壁の各辺からそれぞれの辺の長さに対応して立設した側壁と、で形成される棺桶本体を含むものであれば、種々の形状のものを適用してもよい。
【００２３】
本実施形態において、運搬装置１０は、図１、図２、図３に示すように、棺桶１００の側壁１２１、１２２、１２３、１２４に脱着自在に外嵌される外嵌枠体１２を備えている。外嵌枠体１２は、棺桶の外部から装着、すなわち外嵌した状態で外嵌枠体を介して棺桶を持上げ可能とさせる運搬装置の主たる構成要素である。この外嵌枠体１２は、さらに棺桶１００を例えば室内の床面、地面、その他の載置面上に載置させた状態のままで該棺桶から取り外せるように構成されている。したがって、外嵌枠体を用いて簡易に運搬し得るとともに、火葬場で棺桶を火葬炉に押し出すコンベアなどの上面に載置させて外嵌枠体を取り外せるのでそのまま安定して円滑に炉内へ送りいれることができ、火葬炉の前で親族等が最後のお別れの挨拶をするような場合においても、親族に対して配慮を欠くような粗雑な取り扱いで遺族を落胆させるようなことがない。また、運搬や持ち上げ作業が容易で労力もすくなく作業が円滑に行われる。
【００２４】
本実施形態では、外嵌枠体１２は、２つの外嵌部材１４、１５を有しており、棺桶への装着時に相互に連結されて棺桶に外嵌され、かつ持ち上げる際にこれを支持する。外嵌部材１４、１５は、棺桶１００の側壁１２１，１２２，１２３，１２４の外面側にあてがわれて該側壁に沿うそれぞれ３個の外嵌部材要素１４ａ、１４ｂ、１４ｃ、１５ａ、１５ｂ、１５ｃを有する。本実施形態では、各外嵌部材要素１４，１５は、例えば、棺桶の側壁と略同じ高さで一定に広がった平板体からなり、それぞれ中間の外嵌部材要素１４ｂ、１５ｂが棺桶１００の長辺側壁１２１（１２２）の略全面にあてがわれて長辺外嵌部材要素を形成するとともに、それらの両端の外嵌部材要素１４ａ、１４ｃ、１５ａ、１５ｃは棺桶の短辺側側壁１２３，１２４の略半面程度にあてがわれて短辺外嵌部材要素を形成する。中間の外嵌部材要素１４ｂ、１５ｂとそれらの両端の外嵌部材要素１４ａ、１４ｃ、１５ａ、１５ｃとは、縦方向を軸とする例えば、蝶番などの枢支部材１８により枢支連結されている。
【００２５】
図１に示すように、両端の短辺側の外嵌部材要素１４ａ、１４ｃ、１５ａ、１５ｃは両外嵌部材１４を棺桶の側壁に密着するようにあてがった状態で棺桶１００の短辺側壁１２３，１２４の面上で、互いの端面を突合せ状に配置させて（図６、７参照）その状態でロック機構１８により連結される。すなわち、本実施形態では、運搬装置の外嵌枠体１２は、平面視略コ字形形状の状態で対向状に配置されて、棺桶の２つの短辺側壁１２３、１２４の略中間位置でロック機構１８を介して、相互に連結されて棺桶の側壁を囲むように外嵌する２つの外嵌部材１４、１５を含む。本実施形態では、外嵌部材すなわちその外嵌部材要素は、木製、軽金属、合成樹脂等のある程度強度がある硬質素材からなる。本実施形態では、外嵌部材１４，１５は、その高さ方向の長さが側壁と略同じ高さで設定され、棺桶の側壁の略全体を覆うように形成されている。これにより、棺桶自体をある程度薄肉厚に形成しても、強度が低下した側壁の強度、特に外嵌状態で該外嵌枠体を介して上方に抱え上げる際に支持力を保持できる。また、外嵌部材の外面側に、装飾等を施しておくと、棺桶に装飾を施していなくても保管時または運搬時の外観が向上する。なお、外嵌枠体は、棺桶運搬時の軽量化の点では、外嵌枠体の高さ方向の長さを棺桶の側壁の中途位置に設定するとよい。例えば、外嵌枠体の高さを棺桶の側壁の高さの、例えば、略３分の２、略半分またはそれ以下の高さに設定してもよい。また、ロック機構１６はそれぞれの外嵌部材の長辺側を２分割構成とし、該長辺側の中間位置でロックさせるようにしてもよい。
【００２６】
枢支部材１８は、例えば蝶番等からなり、外嵌部材の隣接している外嵌部材要素、本実施形態では、長辺外嵌部材要素１４ｂ、１５ｂと短辺外嵌部材要素１４ａ、１４ｃ、１５ａ、１５ｃとを枢支連結して、各外嵌部材を相互に展開、畳み込み可能に接続している。枢支部材１８は、棺桶の隣接する側壁、すなわち、長辺側壁と短辺側壁の接続隅部位置に対応した位置に配置されており、該隣接する側壁がなす角度（本実施形態では、９０度）に対応して、外嵌部材間の相対角度を設定させて、棺桶に簡単にあてがうことができる。また、例えば、棺桶から取り外した運搬装置だけを持ち運ぶ際には、該枢支部において折り畳めるため折り畳んだ状態で厚い平板状となり外嵌枠体が嵩張らず、持ち運びがしやすい。
【００２７】
図１、図５に示すように、外嵌枠体すなわち外嵌部材１４は、棺桶の側壁１２１、１２２、１２３、１２４と底壁１２５とに沿って一体的に屈曲形成されたＬ字剛性部２０を備えている。Ｌ字剛性部２０は、外嵌枠体１２を棺桶に外嵌して装着させた状態で棺桶を下面側から支持して外嵌枠体を棺桶に外嵌させた状態での持上げを可能にしている。さらに、棺桶を載置面上に載置させた状態で、例えば、棺桶自体を移動、あるいは完全に持上げるようなことを行わないでも、外嵌枠体を取り外すことができる。本実施形態では、Ｌ字剛性部２０は、外嵌部材要素としての平板であって、棺桶の側壁にあてがわれる面に一体的に強固に固定されたＬ字アングル材から構成されている。Ｌ字剛性部は、９０度の角度に形成されており、棺桶の底壁に沿ってＬ字水平部２１を有している。Ｌ字アングル材は、例えば、アルミニウム、鉄板等の金属又は合金等のある程度強度が高い硬質の材料からなり、棺桶を支持して持上げた際にＬ字屈曲角度を保持しながら棺桶荷重を支持可能な剛性の構造体手段である。Ｌ字剛性部２０のＬ字水平部２１は、例えば、数ｍｍ程度の厚さで、外嵌部材要素１４、１５の下端縁側に沿って、形成されている。外嵌枠体を取り外す際には、Ｌ字水平部の板厚ぶんのほんの数ｍｍ程度だけ棺桶を浮かせるだけであり、安定して安全に取り外すことができる。本実施形態では、棺桶側に特別な取り付け構造を必要とせず、複雑化しないで製造できる。本実施形態では、Ｌ字剛性部２０は棺桶の底壁の中途位置までに設定されており、比較的取り外し動作が短くてすむ。
【００２８】
ロック機構１６は、図６、図７に示すように、棺桶１００に装着された外嵌部材１４，１５が装着状態で持上げ時に離脱しないように相互の外嵌部材どうしを連結保持するロック手段である。本実施形態では、ロック機構１６は、２つの外嵌枠体１２の短辺外嵌部材にそれぞれ設けられて、互いに係合してロックするロック要素を含む。本実施形態では、ロック機構１６は、ロックレバー２２と、ロック受部２４と、を含む。ロック受部２４は、例えば、短辺外嵌部材の外側壁面に凹部が上を向くように固定されている。ロックレバー２２は、受部２４の位置に対応して、一端側を外嵌部材の外面側に枢支され、該枢支軸回りに回動して他端側を自由端とし、受部２４の凹部に係合離脱自在に嵌合させてロックする。ロックレバー２２の受部２４と係合する自由端側には、Ｌ字状に折り曲げたＬ字規制部２６が設けられており、対向する外嵌枠体の相互に離隔する外側へ離脱を防止する。本実施形態では、ロック機構１６は、例えば、ロック状態では、短辺外嵌部材同士を連結して、棺桶運搬時に外嵌部材が枢支部材１８回りの回動や、外嵌枠体のあてがい状態及び棺桶支持状態が解除して棺桶が落下等するのを防止する。また、外嵌枠体同士を連結保持したロック状態と、ロック解除状態とを簡便に変更できる。
【００２９】
さらに、外嵌枠体１２は、図１、図４、図５に示すように、人による運搬時の運搬用の手掛かり部２６を備えている。本実施形態では、外嵌枠体の２個の外嵌部材１４，１５に該手掛かり部２６が設けられている。手掛かり部２６は、外嵌枠体を棺桶に外嵌装着した状態で持ち運ぶ人の指を掛けて安全に持ち上げ、運びやすいようにするものであり、特に、床面や地面上に置いた状態から持ち上げるときや、床面上等に降ろして載置させる際などに指を挟む等の事故を起こさせないようにして効果的に機能する。。本実施形態では、手掛かり部２６は、長辺外嵌部材部材要素１４ｂ、１５ｂのそれぞれの両端寄り位置の下端側に設置された切り欠きあるいは孔を含む。本実施形態において、図４，５に示すように長辺外嵌部材部材要素１４ｂ、１５ｂの平板に切り欠き２８が形成されている。また、本実施形態では特に、切り欠き２８の略半分程度を外嵌部材の外面側から覆うように長辺外嵌部材の下端縁から高さＨだけ高い位置に手掛かり板３０が固定されている。棺桶を持上げる際には、この高さＨを利用して、手を切り欠き２８内に差し込み、その際に、手掛かり板３０に手を掛けて持上げて、確実に手で持って安定して運搬することができる。
【００３０】
次に、本実施形態に係る棺桶の運搬装置の作用について説明する。運搬装置１０は、例えば、棺桶が空の状態で装着される。運搬装置を棺桶に装着する際には、例えば、２つの外嵌部材１４，１５の外嵌部材要素１４ａ，ｂ，ｃ、１５ａ，ｂ，ｃを、棺桶の対向する長辺側壁１２１、１２２の外壁に両外側からあてがいながら、Ｌ字剛性部のＬ字水平部２１の上面側に棺桶１００を載せ、Ｌ字剛性部２０を棺桶の側壁及び底壁に当着させる。そして、各外嵌部材１２の短辺外嵌部材要素１４ａ、１４ｃ、１５ａ、１５ｃを枢支部材を介して回転させて該短辺外嵌部材を棺桶の短辺側壁にあてがわせる。対向状に棺桶部材に装着された外嵌部材要素１４ａ、１４ｃ、１５ａ、１５ｃを、ロック機構１６を介して、持ち上げ時に離脱しないように相互に連結保持させる。運搬装置を装着状態で、棺桶の内部に遺体を収容して遺体を保管する。本実施形態では、外嵌枠体あるいは外嵌部材が、棺桶の外面側の化粧板面を兼ねている。棺桶を運搬する際には、例えば、数人程度で、対向する外嵌枠体の各長辺外嵌部材に設けられた手掛かり部２６を介して持ち上げて、運搬する。この際、手掛かり部があるので、棺桶が平らな床面上に載置してある場合でも、簡単に手を掛けて持ち上げることができ、そのまま確実かつ安定した状態で棺桶を運搬できる。火葬場の火葬炉用台車上等の棺桶の運搬目的位置まで運搬装置を装着させたままその載置面上に載置する。これにより、棺桶を目的位置まで確実かつ安定して運搬できる。そして、火葬炉用台車上に載置させた状態のままで、ロック機構１６を解除して外嵌枠体の連結を解除して該運搬装置全体を棺桶から取り外す。この取り外し作業に際しては、棺桶の２つの長辺側壁側から、それぞれの外嵌枠体のＬ字剛性部を棺桶の底から引き抜き状に離脱させる。この際、棺桶を台車の載置面に載置した状態のまま棺桶を移動や持ち上げ等の動作を全く又はほとんど行なうことなく、取り外すことができる。よって、運搬装置の取り外し作業時に遺体の入った重い棺桶を移動等させなくて済むので、スムーズ、低労力、短時間で取り外すことができるとともに、棺桶を台車上から落として破損等させたりするのを防止できる。その際に最後のお別れに立ち会う遺族の人々に粗雑な取り扱いによって残念な感情を抱かせるようなことがなく、葬式の完結的な時に至るまで円滑に手続きを遂行し得る。また、取り外した運搬装置は、他の棺桶に装着させて、繰り返し利用することができる。
【００３１】
上記の実施形態では、相互に連結離脱自在な外嵌部材を２個設けて外嵌枠体としているが、例えば棺桶の４つの隅部の１つに対応する部分のみを分離して他の３つの隅部に対応する部分に枢支部を設けて該枢支部で畳み込み可能な１個の長い枠体を形成し、これらにＬ字剛性部を設けて１つの分離部分のみをロック機構によりロックするように構成してもよい。
【００３２】
次に、図８ないし図１０を参照しつつ、本発明の棺桶の運搬装置の第２の実施形態について説明するが、上記実施形態と同一部材には同一符号を付し、詳細な説明を省略する。この実施形態において、運搬装置５０は、第１実施形態同様に、２つの外嵌部材５２、５３を含む。本実施形態において、外嵌部材５２，５３は、第１実施形態と異なって、長辺外嵌部材要素と短辺外嵌部材要素とが、枢支連結されておらず、略９０度の角度で固定的に接続されている。すなわち、本実施形態において、外嵌部材５２，５３は、それぞれ中間位置の長辺外嵌部材要素５２ｂ、５３ｂと、それらの両端に直角に連結固定された短辺外嵌部材要素５２ａ、５２ｃ、５３ａ、５３ｃと、を含む。各外嵌部材５２，５３は、平面視コ字状に設けられており、相互に対向しながら棺桶に外嵌されて装着される。
【００３３】
本実施形態において、図８、図９、図１０に示すように、Ｌ字剛性部２０ａは設けられておらず、それぞれの外嵌部材の下端側から相互に対向方向に延びて接続される伸縮接続装置５４が設けられている。伸縮接続装置５４は、挿入離脱自在に二重管として接続した状態で相互にスライド自在に連結される装置であり、上面に棺桶を載置支持した状態で、その連結状態で対向する外嵌部材５２，５３を連結させて外嵌枠体の着脱自在の構成を実効あらしめる。
【００３４】
すなわち、本実施形態の棺桶の運搬装置において、外嵌部材５２，５３は棺桶１００を外嵌可能に対向して２個設けられ、これらの外嵌部材を進退自在に案内しつつ相互に連結して棺桶を上面側に保持する伸縮接続装置５４を有している。実施形態において、伸縮接続装置５４は、それぞれの外嵌部材５２，５３の下端側から対向方向に延長して相互に接続される摺動支持手段であって、外嵌部材５２，５３どうしを相互に進退移動自在に案内し、かつ、それらを棺桶外壁に密着状に当接させた状態で連結保持し、さらにそれらの上面側に棺桶を載置支持する摺動部材５６を含む。
【００３５】
本実施形態では、伸縮接続装置５４が、棺桶の底壁１２５の下に配置されて、棺桶を下側から支持する部分であるとともに、外嵌部材５２，５３どうしを連結する。伸縮接続装置５４は、例えば、それぞれの一端側をそれぞれの外嵌部材５２，５３の下端部に固定させてＬ字状に連結させた２個のパイプ部材あるいは杆部材を内外嵌挿させた状態でスライド自在に連結して設けられており、図８において、対向する外嵌部材要素５２ｂ，５３ｂにそれぞれ固定されて外嵌枠体の装着時に先端を互いに向き合わせるように設定された杆部材５２１、５３１と、外嵌枠体のそれらの杆部材の先端側を挿入させて長手方向に接続する中空円筒状の接続筒部材５４１と、を含む。ここに、摺動部材５６は杆部材５２１，５３１と接続筒部材５４１を含む。杆部材５２１、５３１は、それぞれの長辺外嵌部材要素５２ｂ、５３ｂの下端側に一体的に固定されて外嵌部材要素に対してＬ字状に連結固定されている。この連結部分は杆部材の上に棺桶を載置して持ち上げる際に大きな負荷が加わる部分であるから、図示しない金属製のアングル部材や枠部材を用いて補強しておくとよい。接続筒部材５４１は、対向する杆部材５２１，５３１のいずれか一方側に固定されて、他の杆部材をその長さ方向に自在に挿脱できるようになっている。他の杆部材の接続筒部材の内部への挿入深さを変更させることにより、伸縮接続装置を伸縮させて、外嵌枠体どうしを相互に進退移動自在としている。
【００３６】
この第２実施形態の運搬装置においても手掛かり板３０を含む手掛かり部２６が長辺外嵌部材要素に設けられており、棺桶の持ち上げ、下降動作時に小さな労力でそれらの作業を行える。
【００３７】
この実施形態においても、伸縮接続装置５４を介して外嵌部材を伸縮自在に連結接続し、この際、該伸縮接続装置５４を介して上面側に棺桶１００を支持し、また、床面等への載置状態で棺桶から外嵌枠体を取り外すことができる。この際、装置を棺桶から離脱させる際には横方向から外嵌部材５２，５３を引き抜く動作により行うだけでよく、棺桶自体を垂直方向に持ち上げて行うような危険で労力を伴う作業を行わなくてもよい。また、取り外した運搬装置は、他の棺桶に装着させて、繰り返し利用することができる。
【００３８】
以上説明した本発明の棺桶の運搬装置は、上記した実施形態のみの構成に限定されるものではなく、特許請求の範囲に記載した本発明の本質を逸脱しない範囲において、任意の改変を行ってもよい。
【産業上の利用可能性】
【００３９】
本発明の棺桶の運搬装置は、葬祭場、家庭内、火葬、水葬、土葬その他棺桶の運搬に必要なあらゆる場面において適用可能である。
【図面の簡単な説明】
【００４０】
【図１】本発明の第１の実施形態に係る運搬装置と棺桶の分離状態を示す斜視説明図である。
【図２】図１の運搬装置を棺桶に装着した状態での平面図である。
【図３】図１の運搬装置を棺桶から取り外した状態の平面図である。
【図４】図１の運搬装置を棺桶に装着した状態の正面図である。
【図５】図２のＡ−Ａ線拡大断面図である。
【図６】図１の運搬装置を棺桶に装着した状態の側面図である。
【図７】ロック機構の拡大斜視説明図である。
【図８】本発明の第２の実施形態に係る運搬装置の分離状態を示す平面説明図である。
【図９】図３の装置を棺桶に装着した状態の一部省略縦断説明図である。
【図１０】図９のＢ−Ｂ線拡大断面図である。
【符号の説明】
【００４１】
１０、５０  運搬装置
１２  外嵌枠体
１４、１５、５２、５３  外嵌部材
１６  ロック機構
１８  枢支部材
２０  Ｌ字剛性部
２６  手掛かり部
５４  伸縮接続装置
【図１】
2006262927.tif 000003
【図２】
2006262927.tif 000004
【図３】
2006262927.tif 000005
【図４】
2006262927.tif 000006
【図５】
2006262927.tif 000007
【図６】
2006262927.tif 000008
【図７】
2006262927.tif 000009
【図８】
2006262927.tif 000010
【図９】
2006262927.tif 000011
【図１０】
2006262927.tif 000012